(57)【特許請求の範囲】
【請求項１】
自立型配電盤等の配電設備盤を床面に据え付けるためのチャンネルベースであって、配電設備盤本体の下部周縁に略沿うよう、平面視略長方形状に所定厚さの鋼板材にて形成されたスカート部の短辺内側に、同短辺の略全長にわたる長さで床面への据付部及び配電設備盤本体への取着部を有する、該スカート部より厚い板厚の鋼板材製の据付部材を固着させ、
前記据付部として、床面の不陸による前記配電設備盤本体の傾きを是正させるアジャスト脚となるボルトを備えた第１据付部と、第１据付部より内側位置に設けたアンカー取付用の板状取付片である第２据付部とを設け、その第１据付部を、前記取着部の一部としてその底部に雌ねじをもった有底筒体を溶接し、該ボルトを螺着させてなるチャンネルベース。
【請求項２】
スカート部の長辺間に、補強桟を架橋させた請求項１記載のチャンネルベース。
【請求項３】
スカート部の上方長手方向に配電設備盤本体を複数連設させ、前記補強桟を、それらの接合位置に対応させ配設し、且つ該配電設備盤本体の隣り合うものそれぞれを取着させる取着部を形成した請求項２記載のチャンネルベース。
【請求項４】
据付部材は、その長手方向に直交してその少なくとも２辺を同据付部材に固着させた補強板を設けてなる請求項１乃至３のいずれか一つの請求項に記載のチャンネルベース。
【発明の詳細な説明】
【０００１】
【発明の属する技術分野】
本発明は、照明制御、動力制御等の配電機器を収納する自立型配電盤等の配電設備を床面に据付するためのチャンネルベースに関するものである。
【０００２】
【従来の技術】
従来から、例えば、照明制御、動力制御等の配電機器を収納する配電盤等の配電設備を床面に据付するものは、図９に示すように、自立型電設盤とも呼ばれている配電設備盤本体１０がチャンネルベースＡを介して据え付けられる。
【０００３】
このチャンネルベースＡは、例えば図１０に示す、Ｌ型鋼のような板厚の厚い長尺鋼材を切断し、溶接にて組み合わせスカート部Ｂを形成したものが知られている。この場合、下方が開放しており、上記と同じＬ型鋼にて形成されたアンカー取付用の据付部Ｄが、同図（ｂ）に示すように、上記の水平片Ｃの内側端部から垂下させて内側に向け溶接されて固着されている。したがって、このチャンネルベースＡは、アンカー取付用の据付部Ｄを介して床面Ｆに固定され、配電設備盤本体１０が、上記水平片Ｃ上に載置されてその内側からボルト固定され床面に据え付けられる。
【０００４】
【発明が解決しようとする課題】
しかしながら、上記従来の技術においては、スカート部Ｂ及び据付部Ｄの両方が板厚の厚い材料にて形成されている。そのため、チャンネルベースＡ自体は強度的に頑丈であるものの、重量の大きいものとなりその運搬上問題があった。
【０００５】
ところで、上記のチャンネルベースＡの場合、床面Ｆに不陸があったときにその下面と床面Ｆとの間に生ずる隙間がガタツキの原因となるという問題もあり、そのときには、チャンネルベースＡ下面にスペーサを挿入させて据付を行う必要があった。したがって、配電設備の施工に多くの時間のかかることがあった。なお、上記Ｌ型鋼の板厚の薄いものを使用してスカート部Ｂを形成することも考えられるが、この場合、略長方形状をもった配電設備盤本体１０に風による外力が加わったときに、その荷重による応力集中箇所であるチャンネルベース短辺にひねりが生じ、チャンネルベースが破損することも想定された。
【０００６】
本発明は、上記事由に鑑みてなしたもので、その目的とするところは、強度面での頑丈さを容易に維持しながらより軽量化することができ、また、床面の不陸に容易に対応可能なチャンネルベースを提供することにある。
【０００７】
【課題を解決するための手段】
上記目的を達成するために、本発明のチャンネルベースにあっては、自立型配電盤等の配電設備盤を床面に据え付けるためのチャンネルベースであって、配電設備盤本体の下部周縁に略沿うよう、平面視略長方形状に所定厚さの鋼板材にて形成されたスカート部の短辺内側に、同短辺の略全長にわたる長さで床面への据付部及び配電設備盤本体への取着部を有する、該スカート部より厚い板厚の鋼板材製の据付部材を固着させ、前記据付部として、床面の不陸による前記配電設備盤本体の傾きを是正させるアジャスト脚となるボルトを備えた第１据付部と、第１据付部より内側位置に設けたアンカー取付用の板状取付片である第２据付部とを設け、その第１据付部を、前記取着部の一部としてその底部に雌ねじをもった有底筒体を溶接し、該ボルトを螺着させてなることを特徴としている。
【０００９】
そして、上記スカート部の長辺間に、補強桟を架橋させることが好ましい。この場合、平面視略長方形状に形成されたチャンネルベースのスカート部の、所定厚さの鋼板材による各長辺が、それらの間に架橋された補強桟にて補強された状態にて据付部材を介して据え付けられる。
【００１０】
また、上記スカート部の上方長手方向に配電設備盤本体を複数連設させ、前記補強桟を、それらの接合位置に対応させ配設し、且つ該配電設備盤本体の隣り合うものそれぞれを取着させる取着部を形成するのが好ましい。この場合、配電設備盤本体が、平面視略長方形状に形成されたチャンネルベースのスカート部の上方長手方向に複数連設されて、それらの接合位置に対応させ配設された各長辺間に固着された補強桟の該配電設備盤本体の隣り合うものそれぞれを取着させる取着部に取着され、補強された状態にて据付部材を介して据え付けられる。
【００１１】
また、上記据付部材は、その長手方向に直交してその少なくとも２辺を同据付部材に固着させた補強板を設けるのが好ましい。この場合、平面視略長方形状のスカート部短辺の略全長にわたる長さで鋼板材製の据付部材が、床面への据付部及び配電設備盤本体への取着部に係る部分の少なくとも２辺を補強板にて固着され補強される。
【００１３】
【発明の実施の形態】
図１乃至図６は、本発明の請求項１、５に対応する第１の実施の形態を示し、図７、８は、本発明の請求項２乃至４に対応する第２の実施の形態を示している。
【００１４】
［第１の実施の形態］
図１は、本発明の、第１の実施の形態のチャンネルベースを示す説明図、図２は、同チャンネルベースの概略を示し、（ａ）は平面図、（ｂ）は一部断面側面図、図３は、同チャンネルベースの据付部材を示し、（ａ）は平面図、（ｂ）は側面図、図４は、同チャンネルベースの据付部材の説明図、図５は、同チャンネルベースの有底筒体の説明図、図６は、同チャンネルベースの施工状態を示す説明図である。
【００１５】
この実施の形態のチャンネルベース１は、自立型配電盤等の配電設備盤を床面Ｆに据え付けるためのチャンネルベースであって、配電設備盤本体１０の下部周縁に略沿うよう、平面視略長方形状に所定厚さの鋼板材にて形成されたスカート部２の短辺内側に、同短辺３の略全長にわたる長さで床面Ｆへの据付部６及び配電設備盤本体１０への取着部７を有する、該スカート部２より厚い板厚の鋼板材製の据付部材５を固着させてなる。
【００１６】
又、該実施の形態のチャンネルベース１においては、据付部６として、床面Ｆの不陸による前記配電設備盤本体１０の傾きを是正させるアジャスト脚となるボルト８１を備えた第１据付部６１と、第１据付部６１より内側位置に設けたアンカー取付用の板状取付片である第２据付部６２とを設け、その第１据付部６１を、前記取着部７の一部としてその底部に雌ねじをもった有底筒体８３を溶接し、該ボルト８１を螺着させてもいる。
【００１７】
詳しくは、このチャンネルベース１は、従来の技術の項にて、図９に示して説明したような、照明制御、動力制御等の配電機器を収納する収納箱体である配電設備盤本体１０を床面Ｆに据付するときに、その床面Ｆと配電設備盤本体１０との間に介在させるもので、鋼板材料製のスカート部２及び据付部材５と、据付部材５に配設されるアジャスト部８とを備えている。
【００１８】
スカート部２は、この場合、１．２ｍｍの板厚をもった長尺の鋼板材の一側を長手方向にわたって略直角に折曲させ、次いで、その平面視にて略長方形状となるようさらに短手方向に折曲させた後、該長尺材の始端及び終端を溶接にて接合し短辺３，３及び長辺４，４を形成している。そして、折曲後に突き合わせてその天面を形成するよう、予め、天面となる短辺３及び長辺４とし隣り合うものどうしの他側の所定箇所を、それぞれ斜めに切断させてあり、また、その突き合わせ部には、後述するアジャスト部８のボルト８１を上方から回動させる円孔となる開口部２１が形成されるよう略半円状の切欠が形成されている。また、短辺３には、据付部材５の配電設備盤本体１０への取着部７がその裏面側に固着される所定箇所に、配電設備盤本体１０をこのチャンネルベース１へ取り付けるための取付孔３１が設けられている。
【００１９】
据付部材５は、この場合、４ｍｍ程度の板厚をもった鋼板材を折曲させ、床面への据付部６となる第１据付部６１及び第２据付部６２と、配電設備盤本体１０への取着部７とを有して形成されている。この据付部材５は、図３に詳しく示すように、第１据付部６１をその一部とする取着部７から側面視略Ｌ字状となるよう、第２据付部６２が所定の段差をもつように下方、側方に折曲形成されており、その第１据付部６１には後述するアジャスト部８を嵌着させる円孔７２が穿設してあり、その第２据付部６２には後述するアンカー取付用の取付孔６３が穿設されている。なお、この据付部材５は、取着部７の裏面側にナット７１がスポット溶接されており、配電設備盤本体１０を大きなトルクにてボルト固定することができるようになっている。
【００２０】
アジャスト部８は、上記第１据付部６１に設けられて前記配電設備盤本体１０の床面Ｆの不陸による傾きを是正させるもので、図５に示すように、ボルト８１と、有底筒体８３とを備えている。このアジャスト部８は、有底筒体８３が上記据付部材５の、第１据付部６１の円孔７２に嵌着され溶接固着される。そして、この有底筒体８３に螺合されたボルト８１を回動させることにより、ボルト８１の頭部が上下動自在となって配電設備盤本体１０の傾きを是正させることができる。この場合、ボルト８１のねじ先端面に溝８２が形成されており、スカート部２の、天面四隅の開口部２１の円孔を介してドライバ等の回動具を差し込んで容易に回動させて、傾き是正の微調節ができるようになっている。
【００２１】
上記のチャンネルベース１において、配電設備盤本体１０を床面Ｆに据付するときには、図６に示すように、まず、チャンネルベース１を、配電設備盤本体１０の床面Ｆ上の据え付け位置に載置させる。次いで、スカート部２の下面と床面Ｆとの間に隙間が生じていた場合、そのスカート部２の天面四隅の開口部２１の円孔を介して、同スカート部２の短辺３内側に固着された据付部材５の、第１据付部６１のアジャスト部８のボルト８１の溝８２に回動具となるドライバを係合させ、上面側から回動させてアジャスト脚であるボルト８１の高さを適切な高さとする。このとき、アジャスト脚のボルト８１をその上面側から容易に回動させることができるので、より短時間に是正させることができ使い勝手が良い。
【００２２】
そして、床面Ｆの不陸にてチャンネルベース１自体がガタツキが無いかどうか確認を行った後に、第２据付部６２をアンカー１１を設けてチャンネルベース１を床面Ｆに取付固定する。次いで、チャンネルベース１の天面に配電設備盤本体１０を載置させ、その箱体の底板に形成されている箱取着部の取付孔に向けて取付ボルト１２を挿通させて、上記取付孔３１裏面側のナット７１に箱体内側からボルト止めし、配電設備盤本体１０をチャンネルベース１へ据え付けさせる。
【００２３】
なお、このとき、配電設備盤本体１０の底板にもその下部周縁に略沿う平面視略長方形状のスカート部２の天面四隅の開口部２１に対応する開口を設けておくことにより、第１据付部６１のアジャスト脚ボルト８１の溝８２に回動具を係合させて回動させることができ、床面Ｆの不陸による配電設備盤本体１０の傾きをより確実に是正させて据え付けすることができる。
【００２４】
したがって、以上説明したチャンネルベース１によると、自立型配電盤等の配電設備盤本体１０が、所定厚さの鋼板材にて平面視略長方形状に形成された、その配電設備盤本体１０の下部周縁に略沿うチャンネルベース１のスカート部２の短辺３内側に固着される、同スカート部２より厚い板厚の、床面Ｆへの据付部６及び配電設備盤本体１０への取着部７をもった同短辺３の略全長にわたる長さで鋼板材製の据付部材５を介して据え付けられるので、強度面での頑丈さを容易に維持しながらより軽量化することができる。
【００２５】
また、配電設備盤本体１０を、その下部周縁に略沿う平面視略長方形状のスカート部２の短辺３内側に配設される、配電設備盤本体１０への取着部７の一部となる第１据付部６１に溶接された有底筒体８３底部の雌ねじに螺着されたアジャスト脚となるボルト８１にて、床面Ｆの不陸による配電設備盤本体１０の傾きが是正されて、同第１据付部６１より内側位置に設けたアンカー取付用の板状取付片である第２据付部６２をアンカー取付させ据え付けできるので、床面Ｆの不陸に容易に対応することができる。
【００２６】
［第２の実施の形態］
図７は、第２の実施の形態のチャンネルベースの概略を示し、（ａ）は平面図、（ｂ）は一部断面側面図、（ｃ）は一部裏面図、図８は、同チャンネルベースの施工状態を示す説明図である。
【００２７】
この実施の形態のチャンネルベースは、補強桟を設ける構成のみが第１の実施の形態と異なるもので、他の構成部材は第１の実施の形態のものと同一で、該実施の形態のチャンネルベース１は、スカート部２の長辺４，４間に、補強桟９を架橋させている。また、該実施の形態のチャンネルベース１においては、スカート部２の上方長手方向に配電設備盤本体１０，１０を複数連設させ、前記補強桟９を、それらの接合位置に対応させ配設し、且つ該配電設備盤本体１０，１０の隣り合うものそれぞれを取着させる取着部９１を形成してもいる。また、該実施の形態のチャンネルベース１においては、据付部材５は、その長手方向に直交してその少なくとも２辺を同据付部材５に固着させた補強板５１を設けてもいる。
【００２８】
このもののスカート部２は、１．２ｍｍの板厚をもった鋼板材をその接続片が補強桟９となるよう略Ｈ字状に打ち抜いて、次いで、スカート部の長辺４，４となるそのＨ字の対向片の一縁を略直角に垂下し折曲させた後、平面視にて略長方形状となるように、断面略Ｌ字状となるようその一縁部を略直角に垂下し折曲させた短辺３，３となる連結片の両端を、前記Ｈ字の対向片の両端に溶接接合して短辺３，３を形成している。なお、その接合部は、突き合わせた一面がスカート部２の天面を形成するよう、予め、その端部それぞれを斜めに切断させてある。
【００２９】
補強桟９には、スカート部２の上方長手方向に連設される配電設備盤本体１０，１０の接合位置に対応させた取付孔９３が穿設されており、また、その裏面側に、この場合、配電設備盤本体１０，１０の隣り合うものそれぞれを取着させる取着部９１となる、断面略コ字状でナット９２のスポット溶接された補強片９１を溶接し固着させてある。
【００３０】
このものの据付部材５は、図７に示すように、四角状の補強板５１をその長手方向に直交させてその３辺が据付部材５の取着部７となる、第１据付部６１裏面側に溶接し固着されている。したがって、上記スカート部２短辺３，３の略全長にわたる長さで鋼板材製の据付部材５が、床面Ｆへの据付部６及び配電設備盤本体１０への取着部に係る部分の３辺が補強板５１にて固着され補強されるので、配電設備盤本体１０を大きなトルクにてスポット溶接されたナット７１にボルト固定させ安定設置することができる。なお、補強板５１は、上記によるものの他、例えばその形状を三角状として第１据付部６１裏面側に三角状の２辺を溶接させ固着する等、各種構成とすることができる。
【００３１】
上記のチャンネルベース１において、配電設備盤本体１０，１０を床面Ｆに据付するときには、第１の実施の形態の説明の場合と同じく、チャンネルベース１と、床面Ｆとの間に隙間が生じていたときに、図１２に示すように、アジャスト脚のボルト８１をその上面側から容易に回動させ、床面Ｆの不陸にてチャンネルベース１自体がガタツキが無いかどうか確認を行った後に、チャンネルベース１の天面に配電設備盤本体１０，１０を載置させる。次いで、その各箱体の底板に形成されている箱取着部の取付孔に向けて取付ボルト１２，１２を挿通させて、上記取付孔３１，９３裏面側のナット７１，９２に箱体内側からボルト止めし、配電設備盤本体１０をチャンネルベース１へ据え付けさせる。
【００３２】
したがって、以上説明したチャンネルベース１によると、平面視略長方形状に形成されたチャンネルベース１のスカート部２の、所定厚さの鋼板材による各長辺４，４が、それらの間に架橋された補強桟９にて補強された状態にて据付部材５を介して据え付けられるので、容易に弱い方向の強度を向上させることができる。また、配電設備盤本体１０，１０が、上記スカート部２の上方長手方向に複数連設されて、それらの接合位置に対応させ配設された各長辺４，４間に固着された補強桟９の該配電設備盤本体１０，１０の隣り合うものそれぞれを取着させる取着部９１に取着され、補強された状態にて据付部材５を介して据え付けられるので、複数の配電設備盤本体１０を安定設置することができる。また、そのスカート部２短辺３，３の略全長にわたる長さで鋼板材製の据付部材５が、床面Ｆへの据付部６及び配電設備盤本体１０への取着部７に係る部分の３辺を補強板５１にて固着され補強されるので、弱い方向の強度を更に補強できて、より安定状態に配電設備盤本体１０を設置することができる。
【００３３】
【発明の効果】
本発明は、上述の実施態様の如く実施されて、請求項１記載のチャンネルベースにあっては、自立型配電盤等の配電設備盤を床面に据え付けるためのチャンネルベースであって、配電設備盤本体の下部周縁に略沿うよう、平面視略長方形状に所定厚さの鋼板材にて形成されたスカート部の短辺内側に、同短辺の略全長にわたる長さで床面への据付部及び配電設備盤本体への取着部を有する、該スカート部より厚い板厚の鋼板材製の据付部材を固着させているので、強度面での頑丈さを容易に維持しながらより軽量化することができる。また、据付部として、床面の不陸による前記配電設備盤本体の傾きを是正させるアジャスト脚となるボルトを備えた第１据付部と、第１据付部より内側位置に設けたアンカー取付用の板状取付片である第２据付部とを設け、その第１据付部を、前記取着部の一部としてその底部に雌ねじをもった有底筒体を溶接し、該ボルトを螺着させているので、床面の不陸による配電設備盤本体の傾きが是正されて、同第１据付部より内側位置に設けたアンカー取付用の板状取付片である第２据付部をアンカー取付させ据え付けでき、床面の不陸に容易に対応することができる。
【００３４】
また、請求項２記載のチャンネルベースにあっては、平面視略長方形状に形成されたチャンネルベースのスカート部の、所定厚さの鋼板材による各長辺が、それらの間に架橋された補強桟にて補強された状態にて据付部材を介して据え付けられるので、容易に弱い方向の強度を向上させることができる。
【００３５】
また、請求項３記載のチャンネルベースにあっては、配電設備盤本体が、平面視略長方形状に形成されたチャンネルベースのスカート部の上方長手方向に複数連設されて、それらの接合位置に対応させ配設された各長辺間に固着された補強桟の該配電設備盤本体の隣り合うものそれぞれを取着させる取着部に取着され、補強された状態にて据付部材を介して据え付けられるので、複数の配電設備盤本体を安定設置することができる。
【００３６】
また、請求項４記載のチャンネルベースにあっては、平面視略長方形状のスカート部短辺の略全長にわたる長さで鋼板材製の据付部材が、床面への据付部及び配電設備盤本体への取着部に係る部分の少なくとも２辺を補強板にて固着され補強されるので、弱い方向の強度を更に補強できて、より安定状態に配電設備盤本体を設置することができる。
【００３８】
【図面の簡単な説明】
【図１】、本発明の、第１の実施の形態のチャンネルベースを示す説明図である。
【図２】同チャンネルベースの概略を示し、（ａ）は平面図、（ｂ）は一部断面側面図である。
【図３】同チャンネルベースの据付部材を示し、（ａ）は平面図、（ｂ）は側面図である。
【図４】同チャンネルベースの据付部材の説明図である。
【図５】同チャンネルベースの有底筒体の説明図である。
【図６】同チャンネルベースの施工状態を示す説明図である。
【図７】第２の実施の形態のチャンネルベースの概略を示し、（ａ）は平面図、（ｂ）は一部断面側面図、（ｃ）は一部裏面図である。
【図８】同チャンネルベースの施工状態を示す説明図である。
【図９】チャンネルベースの一使用状態を示す概略正面図である。
【図１０】本発明の従来例であるチャンネルベースを示し、ａ）は平面図、（ｂ）は一部断面側面図である。
【符号の説明】
１    チャンネルベース
２    スカート部
３    短辺
４    長辺
５    据付部材
５１  補強板
６    据付部
６１  第１据付部
６２  第２据付部
７    取着部
８１  ボルト（アジャスト脚）
８３  有底筒体
９    補強桟
９１  取着部（補強片）
１０  配電設備盤本体
Ｆ    床面
【図１】
0003567847.tif 000002
【図２】
0003567847.tif 000003
【図３】
0003567847.tif 000004
【図４】
0003567847.tif 000005
【図５】
0003567847.tif 000006
【図６】
0003567847.tif 000007
【図７】
0003567847.tif 000008
【図８】
0003567847.tif 000009
【図９】
0003567847.tif 000010
【図１０】
0003567847.tif 000011